(57)【要約】【課題】異なる種類のコンテンツを他の情報と関連付けて統合管理する技術を提供する。【解決手段】複数種のコンテンツを格納するコンテンツ格納部を有するコンピュータに、複数種のコンテンツの統合単位を生成する単位生成ステップと、上記コンテンツ格納部にコンテンツが格納される際に、該コンテンツと前記統合単位とのリンク情報を保持するリンクステップと、を実行させるコンテンツ管理プログラムに関する。【選択図】図２
2010067069.tif 000002
【特許請求の範囲】
【請求項１】
複数種のコンテンツを格納するコンテンツ格納部を有するコンピュータに、
前記複数種のコンテンツの統合単位を生成する単位生成ステップと、
前記コンテンツ格納部にコンテンツが格納される際に、該コンテンツと前記統合単位とのリンク情報を保持するリンクステップと、
を実行させることを特徴とするコンテンツ管理プログラム。
【請求項２】
前記コンピュータは、個人情報を格納する個人情報格納部を更に有し、
前記単位生成ステップは、前記個人情報格納部に格納される個人情報のうちの少なくとも１つの個人情報と関連付けて、前記統合単位を生成する、
ことを特徴とする請求項１に記載のコンテンツ管理プログラム。
【請求項３】
前記コンピュータに、
前記コンテンツ格納部に格納されるコンテンツを前記統合単位に関連付けるか否かを判定する判定ステップ、
を更に実行させ、
前記リンクステップは、前記判定ステップにより前記コンテンツを前記統合単位に関連付けると判定された場合に、該コンテンツと該統合単位とのリンク情報を保持する、
ことを特徴とする請求項１又は２に記載のコンテンツ管理プログラム。
【請求項４】
前記単位生成ステップは、前記統合単位を生成する際に、該統合単位に関連付けるべきコンテンツの条件も併せて生成し、
前記判定ステップは、前記コンテンツ格納部に格納されるコンテンツに関する情報を取得し、この取得されたコンテンツ情報が前記条件に合致する場合に該コンテンツを前記統合単位と関連付けると判定する、
ことを特徴とする請求項３に記載のコンテンツ管理プログラム。
【請求項５】
前記コンピュータは表示部を更に有し、
前記コンピュータに、
前記個人情報格納部に格納される個人情報の中から１の個人情報をユーザに選択させる選択ステップと、
前記選択された１の個人情報に関連付けられて生成された統合単位とのリンク情報が保持されているコンテンツの情報を取得する取得ステップと、
前記取得ステップにより取得されたコンテンツ情報の一覧を前記表示部に表示させる表示ステップと、
を更に実行させる請求項３又は４に記載のコンテンツ管理プログラム。
【請求項６】
複数種のコンテンツを格納するコンテンツ格納部を有するコンピュータが、
前記複数種のコンテンツの統合単位を生成する単位生成ステップと、
前記コンテンツ格納部にコンテンツが格納される際に、該コンテンツと前記統合単位とのリンク情報を保持するリンクステップと、
を実行することを特徴とするコンテンツ管理方法。
【請求項７】
複数種のコンテンツを格納するコンテンツ格納部を有するコンテンツ管理装置において、
前記複数種のコンテンツの統合単位を生成する単位生成手段と、
前記コンテンツ格納部にコンテンツが格納される際に、該コンテンツと前記統合単位とのリンク情報を保持するリンク手段と、
を備えることを特徴とするコンテンツ管理装置。
【発明の詳細な説明】
【技術分野】
【０００１】
本発明は、携帯端末における複数種のコンテンツの管理技術に関するものである。
【背景技術】
【０００２】
携帯電話、ＰＤＡ（Personal Data Assistance）、携帯型パソコン等の携帯端末は、静止画及び動画の撮影機能、音声の録音機能、デジタルテレビジョン放送の視聴及び録画機能等を持っている。このような携帯端末では、様々な時間帯及び場所で、静止画や動画の撮影、音声録音等により様々な種類のコンテンツの保存が行われる。従来の携帯端末の各機能で撮影、録音、録画されたコンテンツは、機能毎（コンテンツ種別毎）にそれぞれ個別に管理される。
【０００３】
このような複数の機能（アプリケーション）を有する携帯端末に関し、ユーザインタフェース等の統合的な環境を提供するための技術を開示する文献として以下の文献がある。
【特許文献１】特表２００４−５３７８７７号公報
【特許文献２】特開２００１−１３４６５０号公報
【特許文献３】特表２００３−５３３１４７号公報
【発明の開示】
【発明が解決しようとする課題】
【０００４】
上述のような従来の携帯端末において、ユーザが各種コンテンツをまとめて管理したい場合には、フォルダを新たに作成し、各コンテンツをコンテンツ種別毎の各フォルダからそれぞれその新たなフォルダに移動させる必要があった。
【０００５】
ところで、携帯端末では、電話番号、メールアドレス等の個人情報が管理される。このような個人情報は、セキュリティの問題上、サーバ等で集中管理するのは難しい。しかしながら、個人が所有する携帯端末において各個人情報と他の情報（コンテンツ等）と関連付けて管理したい場面が多々ある。
【０００６】
本件の課題は、このような問題点に鑑み、異なる種類のコンテンツを他の情報と関連付けて統合管理する技術を提供することにある。
【課題を解決するための手段】
【０００７】
本件各態様では、上述した課題を解決するために、それぞれ以下の構成を採用する。
【０００８】
第１の態様は、複数種のコンテンツを格納するコンテンツ格納部を有するコンピュータに、上記複数種のコンテンツの統合単位を生成する単位生成ステップと、上記コンテンツ格納部にコンテンツが格納される際に、該コンテンツと前記統合単位とのリンク情報を保持するリンクステップと、を実行させるコンテンツ管理プログラムに関するものである。
【０００９】
この第１態様では、複数種のコンテンツが格納されるコンピュータにおいて、コンテンツが保存される際には、上記統合単位とそのコンテンツとのリンク情報が保持される。これにより、第１態様によれば、上述のような従来手法では種別毎にしか管理されていなかったコンテンツを、当該リンク情報を用いることにより、その種類に制限されることなく異なる種類に亘って自動的に分類管理することができる。
【００１０】
第１の態様において好ましくは、当該コンピュータが、個人情報を格納する個人情報格納部を更に有し、上記単位生成ステップが、上記個人情報格納部に格納される個人情報の
うちの少なくとも１つの個人情報と関連付けて統合単位を生成するように構成する。
【００１１】
この構成では、複数種のコンテンツ及び個人情報が格納されるコンピュータにおいて、コンテンツが保存される際には、当該個人情報と関連付けられて生成される統合単位とそのコンテンツとのリンク情報が保持される。更に、各統合単位はそれぞれ個人情報と関連付けられているため、結果的には、コンピュータ上で扱われる各コンテンツの組み合わせを、セキュリティの問題により集中管理することの難しい個人情報と関連付けて管理することができる。よって、第１態様によれば、異なる種類のコンテンツを他の情報（個人情報等）と関連付けて統合管理することができる。
【００１２】
更に、第１態様では、統合管理するべきコンテンツに関しそのコンテンツと統合単位とのリンク情報が保持されるという構成を採るため、コンテンツをコンテンツ格納部に格納する手段自体に改造を加えないで上述のような効果を実現することが可能である。
【００１３】
上述の第１態様において好ましくは、当該コンピュータに、上記コンテンツ格納部に格納されるコンテンツを上記統合単位に関連付けるか否かを判定する判定ステップ、を更に実行させ、上記リンクステップが、上記判定ステップにより当該コンテンツを統合単位に関連付けると判定された場合に、該コンテンツと該統合単位とのリンク情報を保持するように構成する。
【００１４】
このように構成すれば、コンテンツ格納部に格納されるコンテンツに関し、統合管理したいコンテンツとそうでないコンテンツとに分けることができ、コンテンツ統合管理に自由度を持たせることができる。
【００１５】
上述の第１態様において好ましくは、上記単位生成ステップが統合単位を生成する際に、当該統合単位に関連付けるべきコンテンツの条件も併せて生成するようにし、上記判定ステップが、上記コンテンツ格納部に格納されるコンテンツに関する情報を取得し、この取得されたコンテンツ情報が上記条件に合致する場合にそのコンテンツを上記統合単位と関連付けると判定するように構成する。
【００１６】
このように構成すれば、統合管理したいコンテンツとそうでないコンテンツとを区別するためのコンテンツの条件を当該統合単位に付与することができる。コンテンツの条件には、例えば、コンテンツの生成日時や生成場所等を設定することができる。
【００１７】
上述の第１態様において好ましくは、当該コンピュータに、上記個人情報格納部に格納される個人情報の中から１の個人情報をユーザに選択させる選択ステップと、この選択された１の個人情報に関連付けられて生成された統合単位とのリンク情報が保持されているコンテンツの情報を取得する取得ステップと、この取得ステップにより取得されたコンテンツ情報の一覧を当該コンピュータの有する表示部に表示させる表示ステップと、を更に実行させる。
【００１８】
１の個人情報と各コンテンツとは、統合単位を通じて関連付けられている。これにより、複数種のコンテンツを統合単位で結び付けることにより、各コンテンツを個人情報と関連付けることができている。従って、この構成によれば、コンピュータ上で扱われる個人情報の中から１の個人情報が選択されることにより、この１の個人情報に関連するコンテンツの情報一覧を表示部に表示させることができる。すなわち、ユーザは、所望の個人情報と関連するコンテンツの一覧を容易に情報閲覧することが可能となる。
【００１９】
この構成においては、上記表示ステップが、コンテンツ情報の一覧を統合単位毎に区分けして表示部に表示させるようにしてもよいし、上記統合単位毎に区分けされた前ンテン
ツ情報の一覧を更に各コンテンツの生成日時毎又は生成位置毎に区分けして表示部に表示させるようにしてもよい。
【００２０】
このようにすれば、様々な種類のコンテンツを様々情報と関連付けて一覧表示させることができる。
【００２１】
なお、別態様としては、以上の何れかの構成を実現するコンテンツ管理方法であってもよいし、以上の何れかの構成を手段として有するコンテンツ管理端末であってもよいし、このようなコンテンツ管理プログラムを記録したコンピュータが読み取り可能な記憶媒体であってもよい。
【発明の効果】
【００２２】
上記態様によれば、携帯端末において異なる種類のコンテンツを他の情報と関連付けて統合管理する技術を提供することができる。
【発明を実施するための最良の形態】
【００２３】
以下、本発明の実施形態としての携帯端末について具体例を挙げ説明する。本実施形態としての携帯端末は、携帯電話、ＰＤＡ（Personal Data Assistance）、携帯型パソコン等である。以下に挙げる実施形態はそれぞれ例示であり、本発明は以下の実施形態の構成に限定されない。
【００２４】
〔ハードウェア構成〕
図１は、実施形態としての携帯端末のハードウェア構成の概略を示すブロック図である。図１に示すように、実施形態における携帯端末１は、制御部１０、無線通信部１１、ＧＰＳ（Global Positioning System）受信部１２、マイク部１３、スピーカ部１４、キー
入力部１５、カメラ部１６、画面表示部１７、記憶部１９等を有する。各ユニットはそれぞれバス等を介して制御部１０に接続される。なお、本発明は、このような携帯端末１のハードウェア構成を限定するものではないため、各ユニットについての説明は簡略化する。
【００２５】
無線通信部１１は、アンテナ、無線回路、ＭＡＣ（Media Access Control）回路等を含み、外部との無線通信を実現する。無線通信部１１は、受信時には、例えば、アンテナで受信された高周波アナログ信号を処理し、所定チャネルについて増幅され変換されたベースバンド信号を復調及び復号し、得られたデータ（音声データ、パケットデータ等）を制御部１０へ送る。送信時には、無線通信部１１は、制御部１０から送信データを受け、この送信データを信号処理し、所定のプロトコルでこのデータ信号をアンテナを介して送信する。本実施形態における無線通信部１１は、電波、赤外線等により他の端末（放送局、基地局も含む）とデータ通信可能な機能を有していればよく、例えば、他の端末から様々な種類のコンテンツを含むデータ信号を受信する。
【００２６】
ＧＰＳ受信部１２は、ＧＰＳアンテナ、無線回路、信号処理部等を含み、ＧＰＳ衛星からの電波を受信し、この電波を増幅及び信号処理することにより位置情報信号を生成する。ＧＰＳ受信部１２は、この生成された位置情報信号を制御部１０へ送る。ＧＰＳ受信部１２は、自装置（携帯端末１）の現在の位置情報を生成するユニットである。
【００２７】
マイク部１３は、周囲音を集音し、この集音された音声信号をデジタルの電気信号に変換し、変換されたデジタル音声信号を制御部１０へ送る。マイク部１３は、携帯端末１で管理される複数種のコンテンツのうち音声データを生成するユニットである。
【００２８】
スピーカ部１４は、制御部１０から送られるデジタル音声信号を受け、この信号に基づ
いて音声を出力する。
【００２９】
キー入力部１５は、ユーザにより操作される操作キー（ボタン等）を含み、この操作キーが操作されたことを示す入力信号を制御部１０へ送る。
【００３０】
カメラ部１６は、撮像素子を含むカメラモジュール、カメラ用集積回路等を含み、映像信号をデジタルの電気信号に変換し、この変換されたデジタル画像信号を制御部１０へ送る。カメラ部１６は、携帯端末１で管理される複数種のコンテンツのうち静止画データ、動画データを生成するユニットである。
【００３１】
画面表示部１７は、ＬＣＤ（Liquid Crystal Display）等のディスプレイ、これを制御するＬＳＩ（Large Scale Integration）等を含み、ディスプレイ表示を制御する。画面
表示部１７は、制御部１０からディスプレイへ表示させる画面データを受けると、それをディスプレイに表示させる。
【００３２】
記憶部１９は、ＲＯＭ（Read Only Memory）、ＲＡＭ（Read Access Memory）等を含み、携帯端末１で管理される複数種のコンテンツ、ＯＳ（Operating System）、各種アプリケーションプログラム、後述するコンテンツ管理コンポーネント等を記憶する。これらアプリケーションは、制御部１０に読み込まれ、実行される。
【００３３】
制御部１０は、ＣＰＵ（Central Processing Unit）、入出力インタフェース等を含み
、このＣＰＵによって、記憶部１９に記憶される各種プログラムを実行することで本実施形態における携帯端末１の各種機能を実現する。この本実施形態における携帯端末１の各種機能については後述する。なお、制御部１０は、複数のＩＣ（Integrated Circuit）、ＬＳＩ等で実現されてもよい。
【００３４】
〔機能構成〕
図２は、実施形態としての携帯端末の機能構成を示すブロック図である。実施形態における携帯端末１の制御部１０では、図２に示すように、各種コンテンツアプリケーション３１、３２及び３３、ＯＳ（Operating System）３０、コンテンツ管理コンポーネント２０等が実行される。
【００３５】
ＯＳ３０は、上述の無線通信部１１、ＧＰＳ受信部１２、マイク部１３、スピーカ部１４、キー入力部１５、カメラ部１６、画面表示部１７への出力及びからの入力を制御する。ＯＳ３０は、このような入出力制御と共に、各種コンテンツアプリケーション３１、３２及び３３のタスク管理も行う。
【００３６】
ＯＳ３０は、各ユニットから各種コンテンツを含む信号を受けると、この入力信号を処理するためのコンテンツアプリケーションを起動する。具体的には、ＯＳ３０は、マイク部１３からデジタル音声信号を得ると、録音アプリケーション３１を起動する。これにより、録音アプリケーション３１は、その信号に含まれる音声データを所定形式（例えば、ＭＰ３形式等）に変換し、この音声データファイルを記憶部１９内の所定フォルダに格納する。このとき、録音アプリケーション３１は、その音声データファイルの識別子（以降、コンテンツＩＤと表記する）をＯＳ３０から取得し、音声データベース（ＤＢ）４１にその識別子とそのファイルの格納されたフォルダ（ファイルパス）を登録する。
【００３７】
同様に、カメラアプリケーション３２は、カメラ部１６から送られる信号に基づいて、静止画ファイル（例えば、ＪＰＥＧ形式）又は動画ファイル（例えば、ＭＰＥＧ形式）を生成し、これらを所定フォルダに格納する。静止画データベース（ＤＢ）４２には、静止画ファイル及び動画ファイルのコンテンツＩＤとそのファイルパスが格納される。また、
無線通信部１１においてデジタルテレビ放送が受信可能である場合には、このデジタルテレビ放送を処理するアプリケーションが起動されてもよい（図示せず）。この場合には、他のアプリケーションと同様に、このアプリケーションがそのデジタルテレビ放送データファイルを生成し、保存する。
【００３８】
また、無線通信部１１において他の端末から音声データ、静止画データ等のコンテンツファイルを含む信号が受信された場合には、ＯＳ３０がこのコンテンツファイルを所定のフォルダに保存するようにしてもよい。
【００３９】
このように、各種コンテンツを種別毎に管理する各コンテンツアプリケーションは、各コンテンツを所定のフォルダにそれぞれ保存し、そのコンテンツを識別するためのコンテンツＩＤとそのコンテンツの保存場所を示すファイルパスをコンテンツ種別毎のデータベースに登録する。なお、本発明は、上述のコンテンツアプリケーションによるコンテンツ生成及び保存手法を限定するものではなく、各種コンテンツが携帯端末１上に保存されればよい。
【００４０】
ＯＳ３０上では、このような複数種のコンテンツを取得可能な機能を持つコンテンツアプリケーションの他に、個人情報を管理可能な機能を持つアプリケーションが実行される。本実施形態では、このアプリケーションとして、ＰＩＭ（Personal Information Manager）アプリケーション３３を例に挙げる。
【００４１】
ＰＩＭアプリケーション３３は、例えば、キー入力部１５の操作によりＯＳ３０上で起動される。ＰＩＭアプリケーション３３は、ユーザに、スケジュール、メモ、及び友人、家族等の個人情報等を管理可能とさせる機能を持つ。個人情報には名前、電話番号、住所、電子メールアドレス、誕生日等が含まれ、この個人情報が各個人の識別番号（以降、アドレスＩＤと表記する）と共にアドレス帳４４に格納される。アドレス帳４４は、データベースであり、記憶部１９へ格納される。スケジュールに関する情報は、スケジュールデータベース（ＤＢ）４５に格納される。本実施形態におけるＰＩＭアプリケーション３３は、各スケジュールに関しそのスケジュールに参加するメンバをそれぞれ登録する。このメンバは、アドレス帳４４に登録されている個人が対象とされる。
【００４２】
コンテンツ管理コンポーネント２０は、上述のように各種コンテンツアプリケーションで取得されたコンテンツをその種類に制限されることなく統合的に管理する。コンテンツ管理コンポーネント２０は、ＯＳ３０のプラグインプログラムとして実装されてもよいし、各種コンテンツアプリケーションから呼び出されるライブラリプログラムとして実装されてもよい。
【００４３】
コンテンツ管理コンポーネント２０は、図２に示されるように、分類管理部２１、リンク情報管理部２２、情報取得部２３、表示情報生成部２５、統合管理データベース（ＤＢ）２７等を有する。これら機能部は、ソフトウェアの構成要素としてそれぞれ実現される（［その他］の項参照）。
【００４４】
分類管理部２１は、統合管理ＤＢ２７を用いて、複数のコンテンツを統合管理する単位である分類を作成し、編集し、削除する。分類管理部２１は、統合管理ＤＢ２７から必要に応じて分類情報を抽出する。図３は、統合管理ＤＢ２７を示す図である。図４は、統合管理テーブルを示す図である。図３に示すように、統合管理ＤＢ２７は、統合管理テーブル、リンク情報テーブルを含む。分類管理部２１は、統合管理ＤＢ２７に含まれる統合管理テーブルを管理する。
【００４５】
統合管理テーブルは、各分類をそれぞれレコードとして格納する。各レコードには、図
３及び４に示すように、各分類を識別するための管理ＩＤ、各分類の名称、各分類に関連付けられるスケジュールを識別するためのスケジュール番号等が含まれる。分類管理部２１は、新たに分類を登録する際には、その分類のための管理ＩＤを新たに作成し、この新たに生成された管理ＩＤと共に、分類名称及びスケジュール番号を新たなレコードとして統合管理テーブルに追加する。分類管理部２１は、統合管理テーブルに登録するスケジュール番号については情報取得部２３から取得する。
【００４６】
ところで、図４に示すスケジュールテーブル及びアドレステーブルは、ＰＩＭアプリケーション３３により管理されるスケジュールＤＢ４５及びアドレス帳４４に含まれる。図４の例によれば、ＰＩＭアプリケーション３３は、１つのスケジュールを登録する際に、そのスケジュールを識別するためのスケジュール番号、そのスケジュールの日付情報、そのスケジュールに参加するメンバを識別するためのアドレスＩＤをスケジュールテーブルに格納する。参加メンバを識別するためのアドレスＩＤは、アドレステーブルの各個人を識別するアドレスＩＤとリンクする。
【００４７】
分類管理部２１は、リンク情報管理部２２から日時情報と共に分類の問い合わせを受ける場合がある。このとき、分類管理部２１は、その日時を含むスケジュールと関連付けられた分類が登録されているか否か統合管理テーブルを検索する。具体的には、分類管理部２１は、各分類に関し登録されるスケジュール番号に基づいてスケジュールテーブルを検索しそのスケジュールテーブルから日付情報を抽出する。分類管理部２１は、抽出された各分類に関連するスケジュールの日付にリンク情報管理部２２から送られた日時が含まれていればその日時に対応する分類が登録されていると判定し、逆に含まれていなければその日時に対応する分類が登録されていないと判定する。分類管理部２１は、当該分類が登録されていると判定すると、その管理ＩＤをリンク情報管理部２２へ送る。分類管理部２１は、当該分類が登録されていないと判定すると、その旨をリンク情報管理部２２へ送る。
【００４８】
リンク情報管理部２２は、統合管理ＤＢ２７に含まれるリンク情報テーブルを用いて、コンテンツアプリケーション３１及び３２により保存される複数のコンテンツのうち分類管理部２１により生成された各分類に含めるべきコンテンツを各分類と関連付ける処理を行う。図５は、リンク情報テーブルを示す図である。図５に示すように、リンク情報テーブルは、統合管理される１コンテンツにつき１レコードを格納する。各レコードには、対象コンテンツのコンテンツＩＤ、対象コンテンツを含める分類を示す管理ＩＤ、対象コンテンツの種別、対象コンテンツの生成された日時情報及び位置情報等が含まれる。
【００４９】
リンク情報管理部２２は、コンテンツアプリケーション３１及び３２によりコンテンツファイルが保存されることを検知することによりその保存されるコンテンツに関するレコードをリンク情報テーブルに登録する。この登録の際に、リンク情報管理部２２は、その保存対象のコンテンツに関する情報として、コンテンツＩＤ、種別、日時情報、位置情報を情報取得部２３から取得する。
【００５０】
リンク情報管理部２２は、その日時情報を送ることにより、その日時に関連する分類が登録されているか否かを分類管理部２１に問い合わせる。リンク情報管理部２２は、その問い合わせに対して分類管理部２１から管理ＩＤが送られてきた場合には、その保存対象のコンテンツを統合管理すべきと判断し、その管理ＩＤをそのコンテンツに関するレコードに設定する。リンク情報管理部２２は、その問い合わせに対して分類が登録されていないと通知されると、そのコンテンツは統合管理する必要がないと判断し、リンク情報テーブルにはレコードを追加しない。
【００５１】
情報取得部２３は、統合管理対象のコンテンツに関する情報、個人情報、スケジュール
情報等を取得する。情報取得部２３は、分類が登録される際にその分類に関連付けられるスケジュールが選択されると、そのスケジュールを識別するためのスケジュール番号をスケジュールＤＢ４５又はＰＩＭアプリケーション３３から取得する。情報取得部２３は、この取得されたスケジュール番号を分類管理部２１へ送る。
【００５２】
情報取得部２３は、コンテンツアプリケーション３１及び３２によりコンテンツファイルが保存されることを検知し、このことをリンク情報管理部２２へ通知する。コンテンツファイルの保存が検知された際に、情報取得部２３は、そのコンテンツに関する情報を取得する。取得されるコンテンツに関する情報には、コンテンツＩＤ、コンテンツ種別、そのコンテンツが生成された日時情報及び位置情報が含まれる。情報取得部２３は、コンテンツＩＤ及びコンテンツ種別についてはそのコンテンツを管理するアプリケーション又はデータベース（音声ＤＢ４１、静止画ＤＢ４２、動画ＤＢ４３等）から取得する。
【００５３】
情報取得部２３は、その検知時点での情報として、ＯＳ３０により管理されるタイマから日時情報を取得し、ＧＰＳ受信部１２で受信された電波から得られる情報信号に基づいて得られる位置情報をＯＳ３０から取得してもよい。情報取得部２３は、そのコンテンツの生成された日時情報及び位置情報を得たいので、そのコンテンツを取得したアプリケーションからそれら情報を得るようにしてもよい。
【００５４】
表示情報生成部２５は、上述のように統合管理ＤＢ２７に格納されたデータに基づいて、複数種のコンテンツの情報をその種別に制限されることなく所定の単位でまとめた一覧表示画面を生成する。表示情報生成部２５は、このように生成された画面データを画面表示部１７に表示させる。なお、表示情報生成部２５により生成される画面については後述する。
【００５５】
〔動作例〕
以下、本発明の実施形態における携帯端末１の動作例について説明する。
【００５６】
本実施形態における携帯端末１は、無線通信部１１、マイク部１３、カメラ部１６等を用いることにより、他の端末から送られるコンテンツ、デジタルテレビ放送データ、音声データ、静止画データ、動画データ等の様々な種類のコンテンツを取り込む。各コンテンツは、制御部１０のＯＳ３０上で実行される、コンテンツの種類に応じた各コンテンツアプリケーション（録音アプリケーション３１、カメラアプリケーション３２等）によりそれぞれ処理され、記憶部１９内の所定のフォルダにそれぞれ保存される。各コンテンツアプリケーションは、各コンテンツを保存するにあたり、各コンテンツに付与されたコンテンツＩＤを取得し、このコンテンツＩＤ及びそのコンテンツのファイルパスをコンテンツの種類に応じた各データベース（音声ＤＢ４１、静止画ＤＢ４２、動画ＤＢ４３、テレビ録画ＤＢ４６等）にそれぞれ登録する。
【００５７】
更に、本実施形態における携帯端末１では、ＰＩＭアプリケーション３３が実行され、ＰＩＭアプリケーション３３により複数の個人情報とスケジュール情報とが管理される。複数の個人情報はアドレス帳４４に登録され、スケジュール情報はスケジュールＤＢ４５に登録される。本実施形態では、各スケジュールにその参加メンバが登録される。これにより、スケジュールＤＢ４５には、スケジュール自体に関する情報と共に、アドレス帳４４に登録される各個人のアドレスＩＤが登録される。
【００５８】
本実施形態における携帯端末１では、コンテンツ管理コンポーネント２０が、このような各コンテンツアプリケーションで管理される複数種のコンテンツを個人情報及びスケジュール情報と関連付けて統合管理する。
【００５９】
コンテンツ管理コンポーネント２０では、複数種のコンテンツを統合管理するにあたり、まず、分類管理部２１が統合管理の単位である分類をユーザに生成させる。図６は、分類設定画面を示す図である。分類管理部２１は、図６に示されるような分類設定画面６０を画面表示部１７に表示させる。分類設定画面６０は、例えば、コンテンツ管理コンポーネント２０の所定メニューが選択されることにより表示される。分類設定画面６０は、分類名称を設定する名称設定部６１、関連するスケジュールを設定するスケジュール設定部６２、参加メンバを表示するメンバ表示部６４、操作メニュー部６６により形成される。名称設定部６１は統合管理ＤＢ２７内の統合管理テーブルの分類名フィールドに対応し、スケジュール設定部６２は、同テーブルのスケジュール番号フィールドに対応する。
【００６０】
スケジュール設定部６２では、スケジュール選択部６３が選択されるとその分類に関連付けるスケジュールをユーザに選択させるための画面が表示される。例えば、この画面では、スケジュールＤＢ４５に登録されるスケジュールのリストが表示される。ユーザは、このスケジュールリストの中から、その分類に関連付けたいスケジュールを選択する。スケジュールが選択されると、スケジュールＤＢ４５内のスケジュールテーブルからその選択されたスケジュールのスケジュール番号及び参加メンバのアドレスＩＤが抽出され、保持される。その抽出されたアドレスＩＤに対応するその個人の名前がアドレス帳４４のアドレステーブルから抽出され、この抽出された各個人の名前が分類設定画面６０のメンバ表示部６４にリスト表示される。
【００６１】
最終的に操作メニュー部６６内の保存ボタン６７が選択されると、統合管理ＤＢ２７内の統合管理テーブルに新たなレコードが追加され、分類設定画面６０で設定されたデータがそのレコードに反映される。このとき、分類管理部２１は、この新たに設定された分類に管理ＩＤを付与し、この管理ＩＤも該当レコードに反映する。名称設定部６１に設定されたデータは分類名フィールドに設定され、上述のように保持されるスケジュール番号がスケジュール番号フィールドに設定される。なお、編集ボタン６８により既に登録されている分類情報を修正可能に構成してもよい。
【００６２】
このように、本実施形態における携帯端末１では、コンテンツ統合管理の単位である分類がスケジュール情報及び個人情報と関連付けられて生成される。コンテンツ管理コンポーネント２０は、このように生成された各分類に各コンテンツアプリケーションにより管理される各コンテンツをそれぞれ関連付ける。この関連付け処理は、例えば、各コンテンツが保存される際に実行される。
【００６３】
図７は、コンテンツ保存時の本実施形態における携帯端末１の動作例を示すフローチャートである。コンテンツ管理コンポーネント２０では、情報取得部２３が、コンテンツアプリケーション３１及び３２によりコンテンツが保存されることを検知する（Ｓ７１）。コンテンツの保存は、例えば、コンテンツアプリケーション３１及び３２からＯＳ３０への保存依頼により発生するイベントで検知される。
【００６４】
情報取得部２３は、コンテンツ保存を検知すると、その保存されるコンテンツのコンテンツＩＤ及び種別を取得する（Ｓ７２）。コンテンツＩＤ及び種別は、そのコンテンツを管理するコンテンツアプリケーションから取得されてもよいし、そのコンテンツのためのＤＢ４１、４２、４３及び４６から取得されてもよいし、検知されたイベントから取得されてもよい。
【００６５】
情報取得部２３は、更に、その保存されるコンテンツの生成日時情報を取得する（Ｓ７３）。この情報は、例えば、ＯＳ３０からその検知時点の日時情報として取得される。また、この生成日時情報は、そのコンテンツを管理するコンテンツアプリケーションから取得されてもよいし、そのコンテンツのためのＤＢ４１、４２、４３及び４６から取得され
てもよいし、検知されたイベントから取得されてもよい。情報取得部２３は、コンテンツＩＤ、種別、生成日時情報をリンク情報管理部２２へ送る。
【００６６】
リンク情報管理部２２は、この生成日時情報を分類管理部２１へ送ることにより、そのコンテンツを統合管理すべきか否かを問い合わせる。
【００６７】
分類管理部２１は、統合管理ＤＢ２７内の統合管理テーブルを参照して、その生成日時を含むスケジュールと関連付けられた分類を検索する（Ｓ７４）。例えば、図４に示されるように各テーブルにレコードが格納されており、リンク情報管理部２２から「２００７年５月５日１０時３２分」という生成日時情報が分類管理部２１に送られてきた場合を想定する。統合管理テーブルの管理ＩＤフィールドに「１」が設定されているレコードでは、スケジュール番号フィールドには「Ｓ００１」が設定されている。分類管理部２１は、スケジュールテーブルのスケジュール番号フィールドに「Ｓ００１」が設定されているレコードを抽出し、そのレコードの日付情報フィールドに設定されるデータ「２００７年５月１日から２００７年５月９日」を取得する。
【００６８】
分類管理部２１は、この取得されたデータ「２００７年５月１日から２００７年５月９日」とリンク情報管理部２２から送られた生成日時「２００７年５月５日１０時３２分」とを比較し、この生成日時がそのスケジュールの日付に含まれるか否かを判断する。この場合、生成日時がそのスケジュールの日付に含まれるため、分類管理部２１は、当該生成日時を含むスケジュールと関連付けられた分類が登録されていると判断し（Ｓ７４；ＹＥＳ）、統合管理テーブルからその分類の管理ＩＤを取得し（Ｓ７５）、この管理ＩＤをリンク情報管理部２２へ送る。一方で、分類管理部２１は、統合管理テーブルにはその生成日時を含むスケジュールと関連付けられた分類が登録されていないと判断すると（Ｓ７４；ＮＯ）、その旨をリンク情報管理部２２へ通知する。
【００６９】
リンク情報管理部２２は、分類管理部２１から管理ＩＤを取得すると、そのコンテンツが統合管理対象であると判断し、その保存されるコンテンツの生成位置情報を取得する（Ｓ７６）。この位置情報は、例えば、ＧＰＳ受信部１２が利用されることによりＯＳ３０からその検知時点の位置情報として取得される。また、この位置情報は、そのコンテンツを管理するコンテンツアプリケーションから取得されてもよいし、そのコンテンツのためのＤＢ４１、４２、４３及び４６から取得されてもよいし、検知されたイベントから取得されてもよい。なお、リンク情報管理部２２は、分類管理部２１から分類が登録されていない旨を通知されると、その保存されるコンテンツは統合管理対象でないとみなしてそのまま処理を終了する。
【００７０】
リンク情報管理部２２は、このように取得されたコンテンツＩＤ、種別、管理ＩＤ、生成日時情報、生成位置情報を含む新たなレコードをリンク情報テーブルに追加する（Ｓ７７）。これにより、そのコンテンツは、その分類と関連付けられて保存される。
【００７１】
このように、本実施形態における携帯端末１では、コンテンツが保存される際に、そのコンテンツの生成日時を含むスケジュールと関連付けられた分類とそのコンテンツとの関連付け情報（リンク情報テーブル）が生成され、登録される。このような関連付け情報が利用されることにより、本実施形態における携帯端末１は、複数種のコンテンツを所定の分類に統合して管理する。結果、本実施形態における携帯端末１では、表示情報生成部２５が、以下に示すように、各分類についてそれぞれ複数種のコンテンツの一覧を表示させる画面を生成し、表示させる。
【００７２】
図８は、分類表示画面を示す図である。コンテンツ管理コンポーネント２０の所定のメニューが選択されると、図８に示すような分類表示画面８０が表示される。分類表示画面
８０は、分類一覧表示部８１、メンバ表示部８２、操作メニュー部８３から形成される。分類一覧表示部８１には、統合管理テーブル内の全レコード（全分類）の分類名が表示される。この分類一覧表示部８１でいずれか１つの分類が選択されると、メンバ表示部８２にその分類に関連付けられたスケジュールの参加メンバのリストが表示される。操作メニュー部８３の作成ボタン８７及び編集ボタン８８が選択されると、上述した図６に示す分類設定画面６０が表示され、分類の作成又は編集が可能となる。
【００７３】
選択ボタン８６が選択されると、分類一覧表示部８１で選択されている分類に関連付けられるコンテンツの一覧を表示するコンテンツ一覧画面９０が表示される。コンテンツ一覧画面９０は、分類名表示部９１、コンテンツ一覧表示部９２、メンバ表示部９３、操作メニュー部９５から形成される。分類名表示部９１には、分類表示画面８０の分類一覧表示部８１で選択された分類の名称が表示される。
【００７４】
コンテンツ一覧表示部９２には、リンク情報テーブルの全レコードのうちの選択されている分類の管理ＩＤが設定されたレコードの一覧が表示される。コンテンツ一覧表示部９２には、リンク情報テーブルの該当レコードのコンテンツＩＤにリンクされる各種コンテンツＤＢ４１、４２、４３及び４６内該当レコードのファイル名が表示される。更に、コンテンツ一覧表示部９２には、各コンテンツの種別がそれぞれ表示される。図８では、「写」が静止画コンテンツを示し、「映」が動画コンテンツを示し、「音」が音声コンテンツを示す。
【００７５】
このように、本実施形態における携帯端末１によれば、各分類についてそれぞれそれに関連付けられる複数種のコンテンツ一覧を参照することができる。コンテンツ一覧画面９０の表示形式ボタン９６が選択されると、図９に示すような他の表示形式におけるコンテンツ一覧が表示される。図９は、コンテンツ一覧画面を示す図である。
【００７６】
図９の左側の画面は、表示形式として日付別表示が選択された場合の表示例を示し、図９の右側の画面は、表示形式として日付及び位置別表示が選択された場合の表示例を示す。日付別表示時には、リンク情報テーブルから上述のように抽出されたレコードが、日時情報フィールドに設定される日時情報毎に区分けされそれぞれ表示される。日付及び位置別表示時には、リンク情報テーブルから上述のように抽出されたレコードが、日時情報フィールドに設定される日時情報及び位置情報フィールドに設定される位置情報毎に区分けされそれぞれ表示される。
【００７７】
コンテンツ一覧画面は、上述のように分類を指定して表示する他、アドレス帳４４のアドレステーブルに格納される個人を指定して表示することもできる。図１０及び１１は、個人を指定した場合のコンテンツ一覧画面を示す図である。この場合、アドレス帳４４に格納されるアドレスの一覧を表示する画面１００において、所定のアドレス（個人）を選択し、表示ボタン１０６を選択することにより、コンテンツ一覧画面９０が表示される。このアドレスの一覧を表示する画面１００は、コンテンツ管理コンポーネント２０により表示される画面であってもよいし、ＰＩＭアプリケーション３３により表示される画面であってもよい。
【００７８】
図１０の例では、画面１００において「MISS. WEB」が選択された状態で表示ボタン１
０６が選択されることにより、「MISS. WEB」が参加メンバとして登録されているスケジ
ュールに関連付けられている分類（符号９１）毎に各分類に関連付けられたコンテンツの一覧が表示される。このとき、統合管理テーブルのスケジュール番号フィールドとスケジュールテーブルのスケジュール番号フィールドとがリンクされ、このスケジュールテーブルのメンバ情報フィールド（メンバ１、２及び３）とアドレステーブルのアドレスＩＤフィールドとがリンクされることにより、各分類に関連付けられたスケジュールの参加メン
バが特定される。
【００７９】
アドレス帳４４には、個人情報として法人の情報も登録される。図１１に示すように、法人が選択された場合であっても、その法人に関連付けられる分類からその分類に含まれるコンテンツが抽出される。図１１の例では、画面１００において法人の「TEMP INC.」
が選択された状態で表示ボタン１０６が選択されることにより、「TEMP INC.」が参加メ
ンバとして登録されているスケジュールに関連付けられている分類（符号９１）毎に各分類に関連付けられたコンテンツの一覧が表示される。法人と関連付けられるコンテンツとしては、図１１の例のように、会議の音声を録音した音声のコンテンツ、議事録を記載した文書のコンテンツ等がある。このような文書のコンテンツについてもコンテンツアプリケーションで管理され保存されていれば、統合管理の対象とすることができる。
【００８０】
このように本実施形態における携帯端末１によれば、複数種のコンテンツを種類に制限されない所定の分類にまとめて統合管理することができ、ひいては、当該分類を介して各コンテンツが個人情報等の他の情報と結び付けられるため他の情報に区分けしたコンテンツ一覧を表示させることができる。当該分類をスケジュールとして管理されるイベント毎に生成すれば、携帯端末１つでイベント毎のコンテンツ管理を行うことができ、かつ、好きなときにイベント毎のコンテンツを閲覧することができる。例えば、ビジネスシーンにおいて或る出張を１つのイベントに設定した場合には、携帯端末１つで、その出張における議事録、資料及びホワイトボードの映像、会議音声等をひとまとめの分類で管理、保存することができ、出張から帰った後にそれらをその出張の分類で一覧表示させることができる。
【００８１】
更に、図１０及び１１のように個人情報毎にコンテンツを統合させることもできるので、他の用途として、或るユーザに関する複数種のコンテンツをそのユーザに赤外線等の無線通信により一括して送信する機能を付加することも可能である。この場合、図１０及び１１のコンテンツ一覧画面の操作メニュー部９５内に送信ボタンを付加し、この送信ボタンが選択された際には無線によりその一覧表示されているコンテンツを送信するようにすればよい。
【００８２】
〔変形例〕
上述の実施形態では、統合管理テーブルにスケジュール番号を格納することにより各分類とスケジュールテーブルとを紐付け、スケジュールテーブルに各個人を識別するアドレスＩＤを格納することにより各スケジュールとアドレステーブルとを紐付けて、結果として、各分類と各個人情報とを紐付けていた。言い換えれば、各分類は、スケジュールを介して各個人情報と紐付けられていた。
【００８３】
変形例として、各分類に直接個人情報を関連付けて設定するようにしてもよい。この場合には、統合管理テーブルにアドレスＩＤフィールドを設けるようにすればよい。
【００８４】
また、上述の実施形態では、各分類とスケジュールとを関連付けることにより、保存されるコンテンツを含ませるべき分類を、それに関連付けられたスケジュールの日付にそのコンテンツの生成日時が含まれるか否かで自動的に決定していた。
【００８５】
変形例として、スケジュールを介することなく各分類に日付情報を設定するようにしてもよい。この場合には、統合管理テーブルに日付フィールドを設けるようにすればよい。また、日付情報の代わりに位置情報を用いて各分類に関連付けられるコンテンツを判定するようにしてもよいし、日付情報と位置情報との両方を用いて各分類に関連付けられるコンテンツを判定するようにしてもよい。
【００８６】
［その他］
〈ソフトウェアの構成要素（Component）について〉
ソフトウェアの構成要素とは、ソフトウェアとして上記機能を実現する部品（断片）であり、そのソフトウェアを実現する言語、開発環境等を限定する概念ではない。ソフトウェアの構成要素としては、例えば、タスク、プロセス、スレッド、ドライバ、ファームウェア、データベース、テーブル、関数、プロシジャ、サブルーチン、プログラムコードの所定の部分、データ構造、配列、変数、パラメータ等がある。これらソフトウェアの構成要素は、１又は複数のメモリ（１または複数のプロセッサ（例えば、ＣＰＵ（Central Processing Unit）、ＤＳＰ（Digital Signal Processer）等）上で実現される。
【００８７】
なお、上述の各実施例は、上記各機能部の実現手法を限定するものではないため、上記各機能部は、上記ソフトウェアの構成要素として、本技術分野の通常の技術者において実現可能な手法により構成されていればよい。
【００８８】
〈付記〉
以上の本実施形態に関し、更に以下の付記を開示する。各項に開示される態様は、必要に応じて可能な限り組み合わせることができる。
【００８９】
（付記１）
複数種のコンテンツを格納するコンテンツ格納部を有するコンピュータに、
前記複数種のコンテンツの統合単位を生成する単位生成ステップと、
前記コンテンツ格納部にコンテンツが格納される際に、該コンテンツと前記統合単位とのリンク情報を保持するリンクステップと、
を実行させることを特徴とするコンテンツ管理プログラム。
【００９０】
（付記２）
前記コンピュータは、個人情報を格納する個人情報格納部を更に有し、
前記単位生成ステップは、前記個人情報格納部に格納される個人情報のうちの少なくとも１つの個人情報と関連付けて、前記統合単位を生成する、
ことを特徴とする付記１に記載のコンテンツ管理プログラム。
【００９１】
（付記３）
前記コンピュータに、
前記コンテンツ格納部に格納されるコンテンツを前記統合単位に関連付けるか否かを判定する判定ステップ、
を更に実行させ、
前記リンクステップは、前記判定ステップにより前記コンテンツを前記統合単位に関連付けると判定された場合に、該コンテンツと該統合単位とのリンク情報を保持する、
ことを特徴とする付記１又は２に記載のコンテンツ管理プログラム。
【００９２】
（付記４）
前記単位生成ステップは、前記統合単位を生成する際に、該統合単位に関連付けるべきコンテンツの条件も併せて生成し、
前記判定ステップは、前記コンテンツ格納部に格納されるコンテンツに関する情報を取得し、この取得されたコンテンツ情報が前記条件に合致する場合に該コンテンツを前記統合単位と関連付けると判定する、
ことを特徴とする付記３に記載のコンテンツ管理プログラム。
【００９３】
（付記５）
前記コンピュータは表示部を更に有し、
前記コンピュータに、
前記個人情報格納部に格納される個人情報の中から１の個人情報をユーザに選択させる選択ステップと、
前記選択された１の個人情報に関連付けられて生成された統合単位とのリンク情報が保持されているコンテンツの情報を取得する取得ステップと、
前記取得ステップにより取得されたコンテンツ情報の一覧を前記表示部に表示させる表示ステップと、
を更に実行させる付記３又は４に記載のコンテンツ管理プログラム。
【００９４】
（付記６）
前記表示ステップは、前記コンテンツ情報の一覧を前記統合単位毎に区分けして前記表示部に表示させる、
ことを特徴とする付記５に記載のコンテンツ管理プログラム。
【００９５】
（付記７）
前記表示ステップは、前記統合単位毎に区分けされた前記コンテンツ情報の一覧を更に各コンテンツの生成日時毎又は生成位置毎に区分けして前記表示部に表示させる、
ことを特徴とする付記６に記載のコンテンツ管理プログラム。
【００９６】
（付記８）
複数種のコンテンツを格納するコンテンツ格納部を有するコンピュータが、
前記複数種のコンテンツの統合単位を生成する単位生成ステップと、
前記コンテンツ格納部にコンテンツが格納される際に、該コンテンツと前記統合単位とのリンク情報を保持するリンクステップと、
を実行することを特徴とするコンテンツ管理方法。
【００９７】
（付記９）
前記コンピュータは、個人情報を格納する個人情報格納部を更に有し、
前記単位生成ステップは、前記個人情報格納部に格納される個人情報のうちの少なくとも１つの個人情報と関連付けて、前記統合単位を生成する、
ことを特徴とする付記８に記載のコンテンツ管理方法。
【００９８】
（付記１０）
前記コンピュータが、
前記コンテンツ格納部に格納されるコンテンツを前記統合単位に関連付けるか否かを判定する判定ステップ、
を更に実行し、
前記リンクステップは、前記判定ステップにより前記コンテンツを前記統合単位に関連付けると判定された場合に、該コンテンツと該統合単位とのリンク情報を保持する、
ことを特徴とする付記８又は９に記載のコンテンツ管理方法。
【００９９】
（付記１１）
前記単位生成ステップは、前記統合単位を生成する際に、該統合単位に関連付けるべきコンテンツの条件も併せて生成し、
前記判定ステップは、前記コンテンツ格納部に格納されるコンテンツに関する情報を取得し、この取得されたコンテンツ情報が前記条件に合致する場合に該コンテンツを前記統合単位と関連付けると判定する、
ことを特徴とする付記１０に記載のコンテンツ管理方法。
【０１００】
（付記１２）
前記コンピュータは表示部を更に有し、
前記コンピュータが、
前記個人情報格納部に格納される個人情報の中から１の個人情報をユーザに選択させる選択ステップと、
前記選択された１の個人情報に関連付けられて生成された統合単位とのリンク情報が保持されているコンテンツの情報を取得する取得ステップと、
前記取得ステップにより取得されたコンテンツ情報の一覧を前記表示部に表示させる表示ステップと、
を更に実行する付記１０又は１１に記載のコンテンツ管理方法。
【０１０１】
（付記１３）
前記表示ステップは、前記コンテンツ情報の一覧を前記統合単位毎に区分けして前記表示部に表示させる、
ことを特徴とする付記１２に記載のコンテンツ管理方法。
【０１０２】
（付記１４）
前記表示ステップは、前記統合単位毎に区分けされた前記コンテンツ情報の一覧を更に各コンテンツの生成日時毎又は生成位置毎に区分けして前記表示部に表示させる、
ことを特徴とする付記１３に記載のコンテンツ管理方法。
【０１０３】
（付記１５）
複数種のコンテンツを格納するコンテンツ格納部を有するコンテンツ管理装置において、
前記複数種のコンテンツの統合単位を生成する単位生成手段と、
前記コンテンツ格納部にコンテンツが格納される際に、該コンテンツと前記統合単位とのリンク情報を保持するリンク手段と、
を備えることを特徴とするコンテンツ管理装置。
【０１０４】
（付記１６）
前記コンテンツ管理装置は、個人情報を格納する個人情報格納部を更に有し、
前記単位生成手段は、前記個人情報格納部で格納される個人情報のうちの少なくとも１つの個人情報と関連付けて、前記統合単位を生成する、
ことを特徴とする付記１５に記載のコンテンツ管理装置。
【０１０５】
（付記１７）
前記コンテンツ格納部に格納されるコンテンツを前記統合単位に関連付けるか否かを判定する判定手段、
を更に備え、
前記リンク手段は、前記判定手段により前記コンテンツを前記統合単位に関連付けると判定された場合に、該コンテンツと該統合単位とのリンク情報を保持する、
ことを特徴とする付記１５又は１６に記載のコンテンツ管理装置。
【０１０６】
（付記１８）
前記単位生成手段は、前記統合単位を生成する際に、該統合単位に関連付けるべきコンテンツの条件も併せて生成し、
前記判定手段は、前記コンテンツ格納部に格納されるコンテンツに関する情報を取得し、この取得されたコンテンツ情報が前記条件に合致する場合に該コンテンツを前記統合単位と関連付けると判定する、
ことを特徴とする付記１７に記載のコンテンツ管理装置。
【０１０７】
（付記１９）
表示部と、
前記個人情報格納部に格納される個人情報の中から１の個人情報をユーザに選択させる選択手段と、
前記選択された１の個人情報に関連付けられて生成された統合単位とのリンク情報が保持されているコンテンツの情報を取得する取得手段と、
前記取得手段により取得されたコンテンツ情報の一覧を前記表示部に表示させる表示手段と、
を更に備えることを特徴とする付記１７又は１８に記載のコンテンツ管理装置。
【０１０８】
（付記２０）
前記表示手段は、前記コンテンツ情報の一覧を前記統合単位毎に区分けして前記表示部に表示させる、
ことを特徴とする付記１９に記載のコンテンツ管理装置。
【図面の簡単な説明】
【０１０９】
【図１】実施形態としての携帯端末のハードウェア構成の概略を示すブロック図である。
【図２】実施形態としての携帯端末の機能構成を示すブロック図である。
【図３】統合管理ＤＢ２７を示す図である。
【図４】統合管理テーブルを示す図である。
【図５】リンク情報テーブルを示す図である。
【図６】分類設定画面を示す図である。
【図７】コンテンツ保存時の本実施形態における携帯端末１の動作例を示すフローチャートである。
【図８】分類表示画面を示す図である。
【図９】コンテンツ一覧画面を示す図である。
【図１０】個人を指定した場合のコンテンツ一覧画面を示す図である。
【図１１】個人（法人）を指定した場合のコンテンツ一覧画面を示す図である。
【符号の説明】
【０１１０】
１  携帯端末
１０  制御部
１１  無線通信部
１２  ＧＰＳ受信部
１３  マイク部
１４  スピーカ部
１５  キー入力部
１６  カメラ部
１７  画面表示部
１９  記憶部
２０  コンテンツ管理コンポーネント
２１  分類管理部
２２  リンク情報管理部
２３  情報取得部
２５  表示情報生成部
２７  統合管理データベース
３０  ＯＳ
３１  録音アプリケーション（コンテンツアプリケーション）
３２  カメラアプリケーション（コンテンツアプリケーション）
３３  ＰＩＭアプリケーション
４１  音声データベース
４２  静止画データベース
４３  動画データベース
４４  アドレス帳
４５  スケジュールデータベース
４６  テレビ録画データベース
【図１】
2010067069.tif 000003
【図２】
2010067069.tif 000004
【図３】
2010067069.tif 000005
【図４】
2010067069.tif 000006
【図５】
2010067069.tif 000007
【図６】
2010067069.tif 000008
【図７】
2010067069.tif 000009
【図８】
2010067069.tif 000010
【図９】
2010067069.tif 000011
【図１０】
2010067069.tif 000012
【図１１】
2010067069.tif 000013